(57)【特許請求の範囲】
【請求項１】
受信部と、信号到来方向検出部と、復調部と、音場制御部と、左右のスピーカとを備え、ヘルメットに設置される無線受信装置において、
前記受信部は、前記ヘルメット頂上部に空間的に分散して配置される複数の赤外線受信器で構成されると共に、音声信号を含む信号を外部から受信し、
前記信号方向到来検出部は、前記赤外線受信器が受信する前記信号の強度に基づいてこの信号の到来方向を検出し、
前記復調部は、前記受信部が受信した信号より音声信号を復調し、
前記音場制御部は、前記検出した信号の到来方向に一致するよう、前記復調した音声信号の遅延時間と振幅を制御して前記ヘルメット内の前記左右のスピーカに出力することを特徴とする
無線受信装置。
【請求項２】
請求項１に記載の無線受信装置と、
マイクロホンと、このマイクロホンから出力される音声信号を変調して送信する送信部を備えたことを特徴とする
無線会話装置。
【発明の詳細な説明】
【０００１】
【産業上の利用分野】
本発明は、バイクツーリングの参加者どうしの会話用などとして利用される無線会話装置に関するものである。
【０００２】
【従来技術】
最近、大勢の仲間が参加するバイクツーリングが若者などのスポーツとして楽しまれている。このようなバイクツーリングでは、大勢の仲間と車上で会話することが楽しみの一つとなっている。バイクどうしがあまり接近し合って走行することが危険な場合もあるため互いに少し距離を置くと、肉声による会話がエンジン音などにかき消されてしまう。従って、このような会話はヘルメットなどに組み込んだ無線装置を通して行われる。
【０００３】
【発明が解決しようとする課題】
上述のように、ライダーどうしが無線装置を通して会話を行う場合には、肉声で会話する場合のような方向間隔が失われてしまい、これに伴って会話の楽しさが損なわれてしまうという問題がある。すなわち、肉声で会話する場合には、相手の声が前後左右のどちらから聞こえて来るかによって、相手の位置を容易に知ることができる。これに対して、無線装置を会話する場合には、相手の音声がヘルメット内などに設置されているヘッドホンから聞こえてくるので、その話相手の位置を音声が聞こえて来る方向から判断することが出来なくなる。
従って、本発明の目的は、肉声での会話と同様の方向感覚を備えた無線会話装置を提供することにある。
【０００４】
【課題を解決するための手段】
本発明の無線会話装置は、受信部と、信号到来方向検出部と、復調部と、音場制御部と、左右のスピーカと、マイクロホンと、このマイクロホンから出力される音声信号を変調して送信する送信部とを備えると共に、ヘルメットに設置されている。そして、受信部は、ヘルメット頂上部に空間的に分散して配置される複数の赤外線受信器で構成されると共に、音声信号を含む信号を外部から受信する。信号方向到来検出部は、赤外線受信器が受信する信号の強度に基づいて信号の到来方向を検出し、復調部は、受信した信号より音声信号を復調する。さらに、音場制御部は、検出した信号の到来方向に一致するよう、復調した音声信号の遅延時間と振幅を制御してヘルメット内の左右のスピーカに出力する。
【０００５】
【作用】
信号到来方向検出部は、空間的に分散して配置された複数の赤外線受信器のそれぞれで受信した信号レベルを比較することにより、信号の到来方向を検出する。音場制御部は、複数のスピーカで発生され合成される音の到来方向が信号到来方向検出部で検出された信号の到来方向に一致するように、信号の遅延時間と振幅とを制御しながら複数のスピーカのそれぞれの動作を制御する。
【０００６】
【実施例】
図１は、本発明の一実施例の無線会話装置の構成を示すブロック図、図２はその外観をドライバーの顔面及びヘルメットと共に示す斜視図である。図１，図２において、１は赤外線の受信器、２は到来方向検出回路、３は復調回路、４は音場制御回路、５はスピーカ、６はマイクロホン、７は変調回路、８は赤外線放射器である。
【０００７】
赤外線の受信器１は、ドライバーの頭部を覆うヘルメットの頂上に異なる方向に向けて円周上に配列された１２個の赤外線受光器１ａ，１ｂ，１ｃ…１１から構成されている。赤外線受光器１ａ，１ｂ，１ｃ…１１のそれぞれは他のドライバーの無線会話装置から送信された赤外線の信号を受信し、これを電気信号に変換して到来方向検出回路２に伝達する。到来方向検出回路２は、赤外線受光器１ａ，１ｂ，１ｃ…１１から受けた電気信号のレベルを比較することによって赤外線の信号の到来方向を検出し、到来方向検出信号を音場制御回路４に出力する。
【０００８】
到来方向検出回路２は、上記赤外線の信号の到来方向の検出動作と並行して、赤外線受光器１ａ，１ｂ，１ｃ…１１から受けた１２個の電気信号のうちレベルが最大のものを選択し、これを復調回路３に出力する。復調回路３は、副搬送波を変調している音声帯域の信号を復調し、この音声帯域の信号を音場制御回路４に供給する。
【０００９】
音場制御回路４は、左右のスピーカ５Ｌと５Ｒで発生されてドライバーに聴取される合成音の到来方向が到来方向検出回路２で検出された信号の到来方向に一致するように、この音声帯域の信号の遅延時間と振幅とを到来方向検出回路２から供給される到来方向検出信号に従って制御しながら左右のスピーカ５Ｌと５Ｒのそれぞれに供給する。上記音場の合成方法は、特開平  ６ー４７１７０  号公報「仮想現実感生成装置」や、日経エレクトロニクスＮｏ．６１９  （１９６４，１０，１０），ｐｐ１０に開示されている技術を適用することなどによって実現される。
【００１０】
ドライバーが他のドライバーに向けて発した音声は、マイクロホン６で電気信号に変換され、変調回路７で赤外線の信号に変換され、ヘルメットの頂部に設置されている無指向性の赤外線送光器８から外部に放射される。この無指向性の赤外線送光器８は、赤外線受光器１の場合とほぼ同様に、異なる方向に向けて円周上に配列された多数個の赤外線発光素子を含み、各発光素子から送出される赤外線の信号はドライバーの廻りの３６０  ｏ  の範囲をカバーする。
【００１１】
図３は本発明の他の実施例の無線会話装置の構成を示すブロック図であり、１１は送受共用アンテナ、１２は復調回路、１３は信号分離回路、１４は音場制御回路、１５Ｌ，１５Ｒは左右のスピーカ、１６は到来方向検出回路、１６は自車位置検出部、１８はマイクロホン、１９は信号合成回路、２０は変調回路、２１はサーキュレータである。
【００１２】
無指向性の送受共用アンテナ１１で受信された電気信号は、サーキュレータ２１を通過し、復調回路１２で復調されて信号分離回路１３に供給される。この信号分離回路１３に供給される復調信号には、ドライバーどうしの会話信号とこの信号を送信した車両の位置を示す送信元位置信号が含まれている。信号分離回路１３は、上記各信号を分離し会話信号を音場制御回路１４に供給すると共に、送信元位置信号を到来方向検出回路１６に供給する。
【００１３】
ＧＰＳ受信機などによって構成される自車位置検出部１７は、自車の現在位置を検出して到来方向検出回路１６と信号合成回路１９とに供給する。到来方向検出回路１６は、信号分離回路１３から受け取った送信元位置信号から自車位置検出部１７から受け取った自車位置を減算し、この減算値から信号送信元の車両の方向を検出し、これを音場制御回路１４に供給する。
【００１４】
音場制御回路１４は、左右のスピーカ１５Ｌと１５Ｒで発生されてドライバーに聴取される合成音の到来方向が到来方向検出回路１６で検出された信号の到来方向に一致するように、この音声帯域の信号の遅延時間と振幅とを到来方向検出回路１６から供給される到来方向検出信号に従って制御しながら左右のスピーカ１５Ｌと１５Ｒのそれぞれに供給する。
【００１５】
ドライバーが他のドライバーに向けて発した音声は、マイクロホン１８で電気信号に変換され、信号合成回路１９において、自車位置検出部１７で検出された自車位置を示す自車位置信号と合成される。この会話信号と自車位置信号との合成信号は、変調回路２０で高周波の信号に変換され、サーキュレータ２１を通してドライバーのヘルメットの頂部に設置されている送受共用のアンテナ１１に供給され、ここから周辺に送信される。
【００１６】
以上、ドライバーどうしで送受信を行う会話装置の場合を例示した。しかしながら、道路に沿って案内情報の送信器を分散して設置しておき、ドライバーがこの案内情報を受信するという受信のみの車載用装置についても本発明を適用することができる。
【００１７】
また、無線会話装置をドライバーのヘルメット内に設置する場合を例示した。しかしながら、そのような無線会話装置を乗用車の車室内などに設置することもできる。あるいはまた、車両とは関係なくハイキングツアーに参加中のハイカーのヘルメット内やバッグ内などに設置することもできる。
【００１８】
【発明の効果】
以上詳細に説明したように、本発明の無線会話装置は、受信した信号の到来方向を検出し、その到来方向から音声が聞こえて来るように複数のスピーカで発生する音の到来方向を制御する構成であるから、肉声での会話と同様の方向間隔を与えることができる。
【図面の簡単な説明】
【図１】本発明の一実施例の無線会話装置の構成を示すブロック図である。
【図２】上記実施例の無線会話装置の外観をドライバーの顔面やヘルメットと共に示す斜視図である。
【図３】本発明の他の実施例の無線会話装置の構成を示すブロック図である。
【符号の説明】
１    赤外線受光器
２    到来方向検出回路
３    復調回路
４    音場制御回路
５Ｌ，５Ｒ  左右のスピーカ
６      マイクロホン
７    変調回路
８    無指向性の赤外線放射器
【図１】
0003631292.tif 000002
【図２】
0003631292.tif 000003
【図３】
0003631292.tif 000004